(57)【要約】【課題】直射日光がＬＥＤ或は液晶表示部に当たらないようにしてＬＥＤの点灯状態或は液晶の表示状態の判別を容易且つ確実に行い得るようにし、これにより作業性を向上させた屋外用情報表示装置を提供する。【解決手段】ＬＥＤ或は液晶表示部が設けられた情報表示部６に遮光フード１６を設ける。遮光フード１６としては、黒色で肉厚のウレタンフォーム或は難燃材若しくは不燃材を用いる。【選択図】図１
2007212634.tif 000002
【特許請求の範囲】
【請求項１】
ＬＥＤ或は液晶表示部が設けられた情報表示部に遮光手段を設けたことを特徴とする屋外用情報表示装置。
【請求項２】
遮光手段として黒色のウレタンフォーム或は難燃材若しくは不燃材から成る所定の肉厚の遮光フードを用いた請求項１に記載の屋外用情報表示装置。
【請求項３】
情報表示部を取付け設置する情報表示部取付け板を内部に備え、扉に情報表示部を目視するための窓を備えた、屋外に設置される高圧盤又は動力制御盤において、前記情報表示部の周囲を覆うよう前記情報表示部取付け板に取付けられると共に、前記扉を閉止した際に扉側端部が扉の内面に当接するか、或は扉の内面との間に隙間が形成されるようにした遮光フードを備えたことを特徴とする屋外用情報表示装置。
【請求項４】
情報表示部を取付け設置する情報表示部取付け板を内部に備え、扉に情報表示部を目視するための窓を備えた、屋外に設置される高圧盤又は動力制御盤において、前記情報表示部の周囲を覆うよう前記扉の内面に取付けられると共に、前記扉を閉止した際に前記情報表示部取付け板側端部が情報表示部取付け板に当接するか、或は情報表示部取付け板との間に隙間が形成されるようにした遮光フードを備えたことを特徴とする屋外用情報表示装置。
【請求項５】
黒色のウレタンフォーム或は難燃材若しくは不燃材から成る所定の肉厚の遮光フードを用いた請求項３又は４に記載の屋外用情報表示装置。
【発明の詳細な説明】
【技術分野】
【０００１】
本発明は屋外用情報表示装置に関する。
【背景技術】
【０００２】
近年、屋外に設置された高圧盤、動力制御盤の情報表示部には、ＬＥＤ（発光ダイオード）或は液晶表示部（以降まとめてＬＥＤと総称する）が使用されるようになっており、動力制御盤の一例は図５〜図９に示されている。図５中、１は動力制御盤で、盤本体２の前面には、金網入りのガラスを有する窓３を備えた複数の扉４が開閉可能に取付けられている。
【０００３】
図６、図７に示すように、盤本体２の奥に位置する壁状の情報表示部取付け板２ａには内部にＬＥＤを備えた複数の情報表示部５，６，７，８が取付けられており、情報表示部５，６，７，８に表示された情報は、扉４が閉止された状態で外部から窓３を通して目視し得るようになっている。例えば、情報表示部５は電源がオンの場合に点灯する電源表示部であり、情報表示部６は各機器の運転状態や故障を示す場合に点灯する表示部であり、情報表示部７は各チラーの運転状態や故障を示す場合に点灯する表示部であり、情報表示部８は各計測機器で計測したデータを数値として表示する際に点灯する表示部である。なお、運転状態を示す場合と故障を示す場合では、点灯した際の色は異なって表示されるようになっている。
【０００４】
又、情報表示部５〜８のうち、例えば情報表示部８の構成例は図８、図９に示され、図８中、９は前面が開口すると共に開口部周囲にフランジ９ａが設けられた遮光ボックス、１０は遮光ボックス９の奥部に位置するＬＥＤ取付け板９ｂに取付けられたＬＥＤであり、図示例では一の遮光ボックス９に対して４個のＬＥＤ１０が設けられている。又、遮光ボックス９の前面側の開口部には乳白拡散板１１及び文字記入板１２が取付けられるようになっている。
【０００５】
而して、ＬＥＤ１０及び乳白拡散板１１並びに文字記入板１２が組付けられた情報表示部８の遮光ボックス９は、図９に示すように、フランジ９ａの面が情報表示部取付け板２ａの面に当接するよう、情報表示部取付け板２ａに設けた孔部１３に嵌め込まれ、ブラケット１４及びビス１５により情報表示部取付け板２ａに固設されている。
【０００６】
なお、高圧盤や動力制御盤の情報表示部は、防滴や防沫に対して対策したものは少なく、有っても大変高価であり、一般的には屋外設置する盤において表示を必要とする場合は、盤内の環境に情報表示部を設置し、扉外板にパッキンを施して透明ガラスの窓を設け防水すると共に、窓を介して表示された情報を読み取るようにするのが一般的である。又、情報表示部が複数ある場合は、扉外板に設ける窓は、複数の情報表示部をまとめて視認できるよう大きくしている。
【０００７】
屋外の情報表示装置としては、特許文献１、２がある。
【特許文献１】特開平５−６６７２２号公報
【特許文献２】特開２００１−１１７５３６号公報
【発明の開示】
【発明が解決しようとする課題】
【０００８】
図６〜図９に示す従来のものの情報表示部５〜８においては、ＬＥＤ１０に直射日光が当たらない場合はＬＥＤ１０が点灯していることを容易に目視できるが、窓３を通して直射日光が情報表示部５〜８に当たると、情報表示部５〜８におけるＬＥＤ１０の点灯状態の判別が難しく、作業性が悪いという問題がある。又、情報表示部５〜８が液晶表示部の場合は、直射日光が当たると、液晶表示部の表示状態の判別が困難となるという問題がある。
【０００９】
又、情報表示部５〜８のように情報表示部が複数ある場合は、扉４の外板に設ける窓３は複数の情報表示部５〜８をまとめて目視し得るよう大きくなっているが、直射日光が差し込む状態で情報表示部５〜８を読み取ろうとすると、例え大きな面積の板を窓３の前に設けて直射日光を遮ったとしても窓３のガラスの内面では他からの乱反射があり、情報表示部５〜８を見るのが非常に難しい。
【００１０】
本発明は上述の実情に鑑み、直射日光がＬＥＤ或は液晶表示部に当たらないようにしてＬＥＤの点灯状態或は液晶の表示状態の判別を容易且つ確実に行い得るようにし、これにより作業性を向上させた屋外用情報表示装置を提供することを目的としてなしたものである。
【課題を解決するための手段】
【００１１】
本発明の請求項１の屋外用情報表示装置は、ＬＥＤ或は液晶表示部が設けられた情報表示部に遮光手段を設けたものであり、請求項２の屋外用情報表示装置は、遮光手段として黒色のウレタンフォーム或は難燃材若しくは不燃材から成る所定の肉厚の遮光フードを用いたものである。
【００１２】
本発明の請求項３の屋外用情報表示装置は、情報表示部を取付け設置する情報表示部取付け板を内部に備え、扉に情報表示部を目視するための窓を備えた、屋外に設置される高圧盤又は動力制御盤において、前記情報表示部の周囲を覆うよう前記情報表示部取付け板に取付けられると共に、前記扉を閉止した際に扉側端部が扉の内面に当接するか、或は扉の内面との間に隙間が形成されるようにした遮光フードを備えたものである。
【００１３】
本発明の請求項４の屋外用情報表示装置は、情報表示部を取付け設置する情報表示部取付け板を内部に備え、扉に情報表示部を目視するための窓を備えた、屋外に設置される高圧盤又は動力制御盤において、前記情報表示部の周囲を覆うよう前記扉の内面に取付けられると共に、前記扉を閉止した際に前記情報表示部取付け板側端部が情報表示部取付け板に当接するか、或は情報表示部取付け板との間に隙間が形成されるようにした遮光フードを備えたものである。
【００１４】
請求項５の屋外用情報表示装置は、黒色のウレタンフォーム或は難燃材若しくは不燃材から成る所定の肉厚の遮光フードを用いている。
【発明の効果】
【００１５】
本発明の屋外用情報表示装置によれば、直射日光は遮光手段により遮光されて情報表示部に届き難くなるため、ＬＥＤが点灯しているか否かを、容易且つ確実に判別することができ、或は液晶表示部の表示状態を容易且つ確実に判別することができる。その結果、作業性が向上して装置の信頼性が高くなるという優れた効果を奏し得る。
【発明を実施するための最良の形態】
【００１６】
以下、本発明の実施の形態を添付図面を参照して説明する。
図１〜図４は本発明を実施する形態の一例である。而して、図１は情報表示部６に遮光フード１６を取付ける例である。遮光フード１６は例えば黒色で所定の肉厚のウレタンフォーム製であって、前後部へ貫通した空間部１６ａが形成された矩形箱状である。但し、遮光フード１６としては、ウレタンフォーム以外に難燃材若しくは不燃材を使用することができる。
【００１７】
而して、遮光フード１６を情報表示部取付け板２ａに取付けた際には、遮光フード１６の空間部１６ａの内周縁部は、情報表示部６の外周縁部よりも外側を包囲するようになっており、遮光フード１６の周縁部は情報表示部６の外周縁部の内側に位置しないようになっている。遮光フード１６は情報表示部取付け板２ａに面した周縁部に接着剤が塗布され、この接着剤を介して情報表示部取付け板２ａに取付けられる。接着剤の代りに両面テープやフェライト磁石等を用いて取付けるようにしても良い。図１において、情報表示部取付け板２ａの斜線が描かれている額縁状の領域Ｘ１は遮光フード１６が接着される部分である。
【００１８】
図２、図３は情報表示部８の周囲を遮光フード１７で覆ったものの一例である。遮光フード１７は例えば黒色のウレタンフォーム製で、前後部へ貫通した逆Ｌ型の空間部１７ａが形成されたブロック状である。但し、遮光フード１７としてはウレタンフォーム以外に難燃材若しくは不燃材を使用できる。而して、遮光フード１７を情報表示部取付け板２ａに取付けた際には、遮光フード１７の空間部１７ａの内周縁部は、情報表示部８における情報表示部本体８ａ，８ｂの対向する一辺を除いた各三辺の外側周縁部よりも外側を包囲するようになっており、遮光フード１７の空間部１７ａの内周縁部は情報表示部８における情報表示部本体８ａ，８ｂの外周縁部の内側に位置しないようになっている。
【００１９】
遮光フード１７は情報表示部取付け板２ａに面した周縁部に接着剤を塗布し、この接着剤を介して情報表示部取付け板２ａに取付けられる。接着剤の代りに両面テープやフェライト磁石等を用いて取り付けるようにしても良い。図２において、情報表示部取付け板２ａの斜線が描かれている額縁状の領域Ｘ２は遮光フード１７が接着される部分である。
【００２０】
遮光フード１７を盤本体２内に収納した状態は図３に示されており、盤本体２の扉４側端部から情報表示部取付け板２ａまでの寸法Ｌ１は約７０ｍｍ、扉４の厚さＬ２は約３０ｍｍであるため、遮光フード１７の奥行き寸法はこの空間に納まる寸法（例えば約９５ｍｍ程度）とし、窓３のガラス内面との間には僅かな隙間Ｇが形成される程度とするが、遮光フード１７の窓３側端部はガラスに当接するようにしても良い。この関係は図１に示す遮光フード１６の場合も同様である。
【００２１】
又、図示してないが、情報表示部５，７においても、前記遮光フード１６，１７と同様の構成の遮光フードが設けられる。
【００２２】
本図示例の動力制御盤においては、情報表示部５〜８の前面には、遮光フード１６，１７が設けられており、窓３を通過した直射日光は遮光フード１７により遮光されて情報表示部５〜８に届き難くなるため、ＬＥＤ１０（以下、図８参照）が点灯しているか否かを容易且つ確実に判別することができ、その結果、作業性が向上して装置の信頼性が高くなる。又、ＬＥＤ１０の部分に液晶表示部を設けた場合は、液晶表示部の表示状態を容易且つ確実に判別でき、この場合も、作業性が向上して装置の信頼性が高くなる。
【００２３】
図４は情報表示部８の周囲を遮光フード１７で覆ったものの他の例である。遮光フード１７の形状、構造、材料は図３に示す遮光フード１７と同様である。而して、遮光フード１７は扉４の内面に接着剤や両面テープ、フェライト磁石等を用いて取付けられる。
【００２４】
遮光フード１７の奥行き寸法は、扉４の内側空間及び盤本体２の空間に納まる寸法（例えば約９５ｍｍ程度）とし、情報表示部取付け板２ａとの間には僅かな隙間Ｇが形成される程度とするが、遮光フード１７の情報表示部取付け板２ａ側端部は情報表示部取付け板２ａに当接するようにしても良い。
【００２５】
本図示例においても、窓３を通過した直射日光は遮光フード１７により遮光されて情報表示部８に届き難くなるため、ＬＥＤ１０が点灯しているか否かを容易且つ確実に判別することができ、その結果、作業性が向上して装置の信頼性が高くなる。又、ＬＥＤ１０の部分に液晶表示部を設けた場合は、液晶表示部の表示状態を容易且つ確実に判別でき、この場合も、作業性が向上して装置の信頼性が高くなる。
【００２６】
なお、本発明の屋外用情報表示装置においては、屋外に設置される装置として動力制御盤をあげて説明したが、動力制御盤に限らず、高圧盤等に対しても適用可能なこと、図示例においては直射日光が当たらないようにする対象機器がＬＥＤの場合について説明したが、ＬＥＤに限らず液晶表示部に対しても適用することができること、その他、本発明の要旨を逸脱しない範囲内において種々変更を加え得ることは勿論である。
【図面の簡単な説明】
【００２７】
【図１】本発明の屋外用情報表示装置における、ある情報表示部に設ける遮光フードの例を示す斜視図である。
【図２】本発明の屋外用情報表示装置における、他の情報表示部に設ける遮光フードの例を示す斜視図である。
【図３】図２の遮光フードを動力制御盤に設けた状態を示す一例の断面図であり、遮光フードを情報表示部取付け板に固設した例の断面図である。
【図４】図２の遮光フードを動力制御盤に設けた状態を示す一例の断面図であり、遮光フードを扉の内面に固設した例の断面図である。
【図５】屋外用情報表示装置が動力制御盤の場合の全体の斜視図である。
【図６】図５の動力制御盤の外側から窓を通して内部の情報表示部を見た状態を示す正面図である。
【図７】図５の動力制御盤の扉を開いて内部の情報表示部を見た状態を示す斜視図である。
【図８】情報表示部の構成品を分解して示す斜視図である。
【図９】動力制御盤内の情報表示部の取付け状態を示す断面図である。
【符号の説明】
【００２８】
１  動力制御盤
２ａ    情報表示部取付け板
３  窓
５  情報表示部
６  情報表示部
７  情報表示部
８  情報表示部
１０  ＬＥＤ
１６  遮光フード（遮光手段）
１７  遮光フード（遮光手段）
Ｇ  隙間
【図１】
2007212634.tif 000003
【図２】
2007212634.tif 000004
【図３】
2007212634.tif 000005
【図４】
2007212634.tif 000006
【図５】
2007212634.tif 000007
【図６】
2007212634.tif 000008
【図７】
2007212634.tif 000009
【図８】
2007212634.tif 000010
【図９】
2007212634.tif 000011